【手続補正書】
【提出日】平成25年3月5日(2013.3.5)
【手続補正１】
【補正対象書類名】明細書
【補正対象項目名】００３７
【補正方法】変更
【補正の内容】
【００３７】
同じ成分を有するが、しかしＨＬＢ値が７〜８のアルキルフェノールエトキシレートを界面活性剤として使用するプラスチゾルの粘度が９００ｍＰａ．ｓであるのと比較して、組成物Ａ及びＢの粘度は７２５ｍＰａ．ｓであり、そしてＣの粘度は７５０ｍＰａ．ｓであった。
以下もまた開示される。
［１］  プラスチゾル及びオルガノゾルから成る群より選択されたポリマー組成物であって、微粉化したポリマー及び少なくとも１種の高溶媒和可塑剤を含む液相を含み、親水性／親油性バランス（ＨＬＢ）値が１２以上の少なくとも１種の界面活性剤を含む、ポリマー組成物。
［２］  該皮膜形成ポリマーが、ハロゲン化ビニルのホモポリマー及びコポリマー、アクリルポリマー、及びこれらの混合物から成る群より選択される、上記［１］に記載のポリマー組成物。
［３］  該ポリマーがポリ塩化ビニルである、上記［２］に記載のポリマー組成物。
［４］  該ポリマー組成物が、該ポリマー組成物の総重量を基準として約３０〜約６０重量パーセントの該ポリマーを含む、上記［１］に記載のポリマー組成物。
［５］  該高溶媒和可塑剤が、ジオールのジベンゾエート、グリコールのジベンゾエート、オリゴマーグリコールのジベンゾエート、及びこれらの混合物から成る群より選択される、上記［１］に記載のポリマー組成物。
［６］  該高溶媒和可塑剤がジエチレングリコールジベンゾエートである、上記［５］に記載のポリマー組成物。
［７］  該ポリマー組成物が、該ポリマー組成物の総重量を基準として、約５〜約５０重量パーセントの高溶媒和可塑剤を含む、上記［１］に記載のポリマー組成物。
［８］  該界面活性剤が、エトキシル化オクチルフェノール、エチレンオキシドとプロピレンオキシドとのコポリマー、及びこれらの混合物から成る群より選択された非イオン性界面活性剤である、上記［１］に記載のポリマー組成物。
［９］  該界面活性剤のＨＬＢ値が約１２〜約３０である、上記［１］に記載のポリマー組成物。
［１０］  該界面活性剤が非イオン性界面活性剤であり、そして該ポリマー組成物が、ポリマー組成物１００部当たり約０．１〜約２重量部の非イオン界面活性剤を含む、上記［１］に記載のポリマー組成物。
［１１］  オルト、イソ及びテレフタレートのエステル、クエン酸のエステル、１，２−、１，３−及び１，４−シクロヘキサンジカルボン酸のエステル、並びに無水物から成る群より選択された少なくとも１種の他の可塑剤をさらに含む、上記［１］に記載のポリマー組成物。
［１２］  該ポリマー組成物が、該ポリマー組成物の重量を基準として、約５〜約４０重量パーセントの別の可塑剤を含む、上記［１１］に記載のポリマー組成物。
［１３］  一価アルコールのベンゾエート、多価アルコールのエステル、及びこれらの混合物から成る群より選択された少なくとも１種の希釈可塑剤をさらに含む、上記［１］に記載のポリマー組成物。
［１４］  該ポリマー組成物が、該ポリマー組成物の重量を基準として、約３〜約１５重量パーセントの希釈可塑剤を含む、上記［１３］に記載のポリマー組成物。
［１５］  芳香族炭化水素、脂環式炭化水素、及び脂肪族炭化水素から成る群より選択された少なくとも１種の希釈剤をさらに含む、上記［１］に記載のポリマー組成物。
［１６］  プラスチゾル及びオルガノゾルの粘度を低減する方法であって、膜形成ポリマーを、高溶媒和可塑剤及びＨＬＢ値が１２以上の少なくとも１種の界面活性剤とブレンドすることを含む、プラスチゾル及びオルガノゾルの粘度を低減する方法。
［１７］  該皮膜形成ポリマーが、ハロゲン化ビニルのホモポリマー及びコポリマー、アクリルポリマー、及びこれらの混合物から成る群より選択される、上記［１６］に記載の方法。
［１８］  該皮膜形成ポリマーがポリ塩化ビニルである、上記［１７］に記載の方法。
［１９］  該ポリマー組成物が、該ポリマー組成物の総重量を基準として約３０〜約６０重量パーセントの皮膜形成ポリマーを含む、上記［１６］に記載の方法。
［２０］  該高溶媒和可塑剤が、ジオールのジベンゾエート、グリコールのジベンゾエート、オリゴマーグリコールのジベンゾエート、及びこれらの混合物から成る群より選択される、上記［１６］に記載の方法。
［２１］  該高溶媒和可塑剤が、ジエチレングリコールジベンゾエートである、上記［２０］に記載の方法。
［２２］  該ポリマー組成物が、該ポリマー組成物の総重量を基準として、約３０〜約６０重量パーセントの高溶媒和可塑剤を含む、上記［１６］に記載の方法。
［２３］  該界面活性剤が、エトキシル化オクチルフェノール、エチレンオキシドとプロピレンオキシドとのコポリマー、及びこれらの混合物から成る群より選択された非イオン性界面活性剤である、上記［１６］に記載の方法。
［２４］  該界面活性剤のＨＬＢ値が約１２〜約３０である、上記［１６］に記載の方法。
［２５］  該界面活性剤が非イオン性界面活性剤であり、そして該ポリマー組成物が、ポリマー組成物１００部当たり約０．１〜約２重量部の非イオン界面活性剤を含む、上記［１６］に記載の方法。
［２６］  該ポリマー組成物が、オルト、イソ及びテレフタレートのエステル、クエン酸のエステル、１，２−、１，３−及び１，４−シクロヘキサンジカルボン酸のエステル、並びに無水物から成る群より選択された少なくとも１種の他の可塑剤をさらに含む、上記［１６］に記載の方法。
［２７］  該ポリマー組成物が、該ポリマー組成物の重量を基準として、約３０〜約６０重量パーセントの別の可塑剤を含む、上記［２６］に記載の方法。
［２８］  一価アルコールのベンゾエート、多価アルコールのエステル、及びこれらの混合物から成る群より選択された少なくとも１種の希釈可塑剤をさらに含む、上記［１６］に記載の方法。
［２９］  該ポリマー組成物が、該ポリマー組成物の重量を基準として、約３〜約１５重量パーセントの希釈可塑剤を含む、上記［２８］に記載の方法。
［３０］  該ポリマー組成物が、芳香族炭化水素、脂環式炭化水素、及び脂肪族炭化水素から成る群より選択された少なくとも１種の希釈剤をさらに含む、上記［１６］に記載の方法。
【手続補正２】
【補正対象書類名】特許請求の範囲
【補正対象項目名】全文
【補正方法】変更
【補正の内容】
【特許請求の範囲】
【請求項１】
プラスチゾル及びオルガノゾルから成る群より選択されたポリマー組成物であって、微粉化したポリマー及び少なくとも１種の高溶媒和可塑剤を含む液相を含み、親水性／親油性バランス（ＨＬＢ）値が１２以上の少なくとも１種の界面活性剤を含む、ポリマー組成物。
【請求項２】
該皮膜形成ポリマーが、ハロゲン化ビニルのホモポリマー及びコポリマー、アクリルポリマー、及びこれらの混合物から成る群より選択される、請求項１に記載のポリマー組成物。
【請求項３】
該ポリマー組成物が、該ポリマー組成物の総重量を基準として約３０〜約６０重量パーセントの該ポリマーを含む、請求項１に記載のポリマー組成物。
【請求項４】
該高溶媒和可塑剤が、ジオールのジベンゾエート、グリコールのジベンゾエート、オリゴマーグリコールのジベンゾエート、及びこれらの混合物から成る群より選択される、請求項１に記載のポリマー組成物。
【請求項５】
該ポリマー組成物が、該ポリマー組成物の総重量を基準として、約５〜約５０重量パーセントの高溶媒和可塑剤を含む、請求項１に記載のポリマー組成物。
【請求項６】
該界面活性剤が、エトキシル化オクチルフェノール、エチレンオキシドとプロピレンオキシドとのコポリマー、及びこれらの混合物から成る群より選択された非イオン性界面活性剤である、請求項１に記載のポリマー組成物。
【請求項７】
オルト、イソ及びテレフタレートのエステル、クエン酸のエステル、１，２−、１，３−及び１，４−シクロヘキサンジカルボン酸のエステル、並びに無水物から成る群より選択された少なくとも１種の他の可塑剤をさらに含む、請求項１に記載のポリマー組成物。
【請求項８】
一価アルコールのベンゾエート、多価アルコールのエステル、及びこれらの混合物から成る群より選択された少なくとも１種の希釈可塑剤をさらに含む、請求項１に記載のポリマー組成物。
【請求項９】
プラスチゾル及びオルガノゾルの粘度を低減する方法であって、膜形成ポリマーを、高溶媒和可塑剤及びＨＬＢ値が１２以上の少なくとも１種の界面活性剤とブレンドすることを含む、プラスチゾル及びオルガノゾルの粘度を低減する方法。
【請求項１０】
該皮膜形成ポリマーが、ハロゲン化ビニルのホモポリマー及びコポリマー、アクリルポリマー、及びこれらの混合物から成る群より選択される、請求項９に記載の方法。
【請求項１１】
該ポリマー組成物が、該ポリマー組成物の総重量を基準として約３０〜約６０重量パーセントの皮膜形成ポリマーを含む、請求項９に記載の方法。
【請求項１２】
該高溶媒和可塑剤が、ジオールのジベンゾエート、グリコールのジベンゾエート、オリゴマーグリコールのジベンゾエート、及びこれらの混合物から成る群より選択される、請求項９に記載の方法。
【請求項１３】
該ポリマー組成物が、該ポリマー組成物の総重量を基準として、約３０〜約６０重量パーセントの高溶媒和可塑剤を含む、請求項９に記載の方法。
【請求項１４】
該界面活性剤が、エトキシル化オクチルフェノール、エチレンオキシドとプロピレンオキシドとのコポリマー、及びこれらの混合物から成る群より選択された非イオン性界面活性剤である、請求項９に記載の方法。
【請求項１５】
該ポリマー組成物が、オルト、イソ及びテレフタレートのエステル、クエン酸のエステル、１，２−、１，３−及び１，４−シクロヘキサンジカルボン酸のエステル、並びに無水物から成る群より選択された少なくとも１種の他の可塑剤をさらに含む、請求項９に記載の方法。
【請求項１６】
一価アルコールのベンゾエート、多価アルコールのエステル、及びこれらの混合物から成る群より選択された少なくとも１種の希釈可塑剤をさらに含む、請求項９に記載の方法。